(57)【要約】 【構成】地中構造物の枠体とこの枠体に開閉可能に取付けられた蓋体とを備え、前記蓋体にフック部を設け、且つ前記枠体にこのフック部の係止する掛け止め部材を設けるとともにカム部材を設け、前記蓋体が周方向に回転することによって前記フック部が前記掛け止め部材から外れるとともに前記フック部と前記カム部材との間のカムの動作によって前記蓋体が前記枠体から持ち上げられ開放される地中構造物の蓋用ロック装置。  【効果】  蓋体を開放する際に、蓋体のフック部が枠体の掛け止め部から外れると同時に蓋体が枠体から持ち上げられ開放される。よって、従来必要とした鍵孔部を必要としないため、道路等に設置した場合にも雨水がマンホールに流入することはないものである。【選択図】  図１
2005133302.tif 000002
【特許請求の範囲】
【請求項１】
地中構造物の枠体とこの枠体に開閉可能に取付けられた蓋体とを備え、前記蓋体にフック部を設け、且つ前記枠体にこのフック部が係止する掛け止め部材を設けるとともにカム部材を設け、前記蓋体が周方向に回転することによって前記フック部が前記掛け止め部材から外れるとともに前記フック部と前記カム部材との間のカムの動作によって前記蓋体が前記枠体から持ち上げられ開放されることを特徴とする地中構造物の蓋用ロック装置。
【請求項２】
請求項１の地中構造物の蓋用ロック装置において、前記掛け止め部材が前記枠体に揺動可能に設置されているとともに前記枠体にストッパが設けられ、このストッパによって前記掛け止め部材は略垂直状態を維持できるとともに付勢手段によってこの垂直状態を維持できる方向に付勢され、且つ、この掛け止め部材の先端面が枠体の中心方向に向かって下がり傾斜していることを特徴とする地中構造物の蓋用ロック装置。
【請求項３】
請求項２の地中構造物の蓋用ロック装置において、前記ストッパが前記カム部材を兼用していることを特徴とする地中構造物の蓋用ロック装置。
【請求項４】
地中構造物の枠体とこの枠体に開閉可能に取付けられた蓋体とを備え、前記蓋体にフック部を設け、且つ前記枠体にこのフック部が係止する掛け止め部材を設けた地中構造物の蓋用ロック装置において、前記フック部を前記蓋体に固定したことを特徴とする地中構造物の蓋用ロック装置。
【発明の詳細な説明】
【技術分野】
【０００１】
この発明は地中構造物の蓋用ロック装置に関し、マンホール、ＣＣボックス等に使用されるものである。
【背景技術】
【０００２】
従来におけるこの種の蓋用ロック装置は、蓋体（マンホール蓋体等）の鍵孔部にフック部を揺動可能に設置し、このフック部を、枠体（マンホール枠体等）の内側面における掛け止め部にその自重によって係止するものであり、開放する場合には、前記鍵孔部から、前記フック部の頭部を操作具によって操作することによってこのフック部を逆方向に揺動させ、前記掛け止め部から外していた。
【０００３】
【特許文献１】実開平  ４−４１５３９号公報
【発明の開示】
【発明が解決しようとする課題】
【０００４】
しかしながら、かかる従来の蓋用ロック装置にあっては、前記鍵孔部が前記蓋体（マンホール蓋体等）を貫通していたため、道路等に設置した場合に、この鍵孔部を介して雨水がマンホールに流入し、処理水量が変動するため、処理負荷が大きくなると共に水質が安定しないという不都合を有した。
【０００５】
また、従来の蓋用ロック装置は、フック部が揺動可能であったため、蓋体内部に異常な内圧が発生した場合に、前記蓋体が飛び去る心配があり、その危険防止のために管理に手間がかかるという不都合を有した。
【０００６】
この発明の課題は前記不都合を解消することである。
【課題を解決するための手段】
【０００７】
この課題を達成するために、この発明に係る地中構造物の蓋用ロック装置においては、地中構造物の枠体とこの枠体に開閉可能に取付けられた蓋体とを備え、前記蓋体にフック部を設け、且つ前記枠体にこのフック部が係止する掛け止め部材を設けるとともにカム部材を設け、前記蓋体が周方向に回転することによって前記フック部が前記掛け止め部材から外れるとともに前記フック部と前記カム部材との間のカムの動作によって前記蓋体が前記枠体から持ち上げられ開放されるように構成したものである。
【０００８】
なお、前記掛け止め部材が前記枠体に揺動可能に設置されているとともに前記枠体にストッパが設けられ、このストッパによって前記掛け止め部材は略垂直状態を維持できるとともに付勢手段によってこの垂直状態を維持できる方向に付勢され、且つ、この掛け止め部材の先端面が枠体の中心方向に向かって下がり傾斜しているものである。
【０００９】
また、前記ストッパが前記カム部材を兼用したものである。
【００１０】
また、地中構造物の枠体とこの枠体に開閉可能に取付けられた蓋体とを備え、前記蓋体にフック部を設け、且つ前記枠体にこのフック部が係止する掛け止め部材を設けた地中構造物の蓋用ロック装置において、前記フック部を前記蓋体に固定したものである。
【発明の効果】
【００１１】
この発明に係る地中構造物の蓋用ロック装置は、地中構造物の枠体とこの枠体に開閉可能に取付けられた蓋体とを備え、前記蓋体にフック部を設け、且つ前記枠体にこのフック部が係止する掛け止め部材を設けるとともにカム部材を設け、前記蓋体が周方向に回転することによって前記フック部が前記掛け止め部材から外れるとともに前記フック部と前記カム部材との間のカムの動作によって前記蓋体が前記枠体から持ち上げられ開放されるように構成されているため、
従来必要とした鍵孔部を必要としないため、道路等に設置した場合にも雨水がマンホールに流入することはないものである。
【００１２】
よって、この地中構造物の蓋用ロック装置を使用すれば、マンホールの処理水量が変動することはないため、処理負荷が大きくならないと共に水質が安定させることができる。
【００１３】
なお、前記掛け止め部材が前記枠体に揺動可能に設置されているとともに前記枠体にストッパが設けられ、このストッパによって前記掛け止め部材は略垂直状態を維持できるとともに付勢手段によってこの垂直状態を維持できる方向に付勢され、且つ、この掛け止め部材の先端面が枠体の中心方向に向かって下がり傾斜しているようにすれば、蓋体を枠体に閉止する場合、フック部を前記掛け止め部材の斜面に前記付勢手段に抗して押し込めば、フック部材が通過後再度掛け止め部に係止するため、蓋体の閉止作業がしやすいものである。
【００１４】
また、前記ストッパが前記カム部材を兼用すれば、構成部材を少なくすることができるため、当該装置自体をコンパクトにできるとともに以後の維持管理がしやすいものである。
【００１５】
また、地中構造物の枠体とこの枠体に開閉可能に取付けられた蓋体とを備え、前記蓋体にフック部を設け、且つ前記枠体にこのフック部が係止する掛け止め部材を設けた地中構造物の蓋用ロック装置において、前記フック部を前記蓋体に固定したため、蓋体内部に異常な内圧が発生した場合に、前記フック部又は前記掛け止め部材又は揺動軸が最初に破損し、この結果、前記蓋体が飛び去ることはなく、安全管理を容易にすることができる。
【発明を実施するための最良の形態】
【００１６】
本発明は、鍵孔部のないマンホール等の蓋体に適用しやすいものである。
【実施例１】
【００１７】
図１はこの発明に係る地中構造物の蓋用ロック装置のロック状態の断面図、図２は図１におけるII矢視図、図３は図１における蓋体を除いた状態のIII 矢視図である。
【００１８】
図１〜図３において、10はマンホール（この発明の「地中構造物」に相当する）Ｍの筒状枠体、20は同蓋体である。いずれも鋳造によって製造される。
【００１９】
21はフック用基板であり、前記蓋体20の裏面に一体形成されている。このフック用基板21は略水平状態に配置され、両側にスライド突起211,211 を有している。また、25はフック部であり、その根幹部において、前記フック用基板21にスライド結合され、ボルト・ナット26によって固定されている。このフック部25は下方に延び、前記筒状枠体10側に向いている。なお、27,27 はフック部25の根幹部におけるスライド溝であり、前記フック用基板21のスライド突起211,211 がスライド可能に内嵌めしている。また、23は蓋体の表面に形成された凹部であり、鉄棒を挿入するための鍵穴として袋状に形成されているものである。
【００２０】
次に、11は環状基板であり、前記筒状枠体10の下端周縁に一体成形されている。この環状基板11を介して、前記筒状枠体10はマンホールの穴の開口端に載置され、適宜固定手段によって固定される。また、12はスカート部であり、前記筒状枠体10の下部を構成し、このスカート部12を介して前記環状基板11に連設されている。このスカート部12の内周面は内側に湾曲している。13は嵌挿筒部であり、前記スカート部12の上端縁に連設し、前記筒状枠体10の上部を構成している。この嵌挿筒部13の内周面は下方に向かって縮径するテーパ状に形成され、前記蓋体20を嵌挿した際に当該蓋体20を支えるとともにその接触面の気密性を確保している。
【００２１】
次に、図２において、31は右側支持板、51は左側支持板であり、各々前記スカート部12の内周面に突設されている。これらの右側支持板31および左側支持板51は、前記環状基板11の中心方向に延びている。図１に戻り、Ｓは湾曲空間であり、前記右側支持板31と左側支持板51との間に形成されている。この湾曲空間Ｓの機能は後記する。
【００２２】
32は右側ストッパ（この発明の「ストッパ」に相当する）、前記右側支持板31の先端に連設されている。この右側ストッパ32は略垂直状に前記左側支持板51方向に延びている。52は左側ストッパ（この発明の「ストッパ」に相当する）であり、前記左側支持板51の先端に連設されている。この左側ストッパ52は略垂直状に前記右側支持板31方向に延びている。そして、この左側ストッパ52はその背丈が前記右側支持板31よりも低く、その上端面は、左方向へ向かって登り傾斜状の傾斜面53を構成している（図２において）。この傾斜面53がこの発明の「カム部材」に相当する。
【００２３】
33はＵ字溝であり、前記右側支持板31の内側面に形成されている。また、54もＵ字溝であり、前記左側支持板51の内側面に形成されている。これらのＵ字溝33,54 は相応する右側支持板31又は左側支持板51の上部から相応する右側ストッパ32又は左側ストッパ52の位置まで延びている。
【００２４】
60は板状の掛け止め部材であり、一対の揺動軸61,61 をそれぞれ前記Ｕ字溝33,54 に嵌挿させることにより、揺動可能に設置されている。62は係止突条であり、前記掛け止め部材60の先端外側に一体形成されている。この係止突条62には、前記蓋体20のフック部25が着脱可能に係止する。また、63は係止ストッパであり、この係止突条62の左端（図２において）に形成されている。この係止ストッパ63は前記蓋体20を前記筒状枠体10から持ち上げたときに、そのフック部25を左方向（図２において）にスライドさせても、係止状態が外れないようにしている。なお、右方向（図２において）にスライドさせた場合には、前記右側ストッパ32がその役目果たすものである。
【００２５】
64は前記掛け止め部材60の傾斜先端面であり、前記係止突条62、ひいては、前記筒状枠体10の中心方向に向かって下がり傾斜している。この傾斜先端面64の機能は後記する。
【００２６】
65はコイル圧縮スプリング（この発明の「付勢手段」に相当する）であり、前記湾曲空間Ｓに配置されている。そして、このコイル圧縮スプリング65は一端を前記環状基板11の上面に載置しているとともに他端をボルト66によって前記掛け止め部材60の背面に固定している。このため、その弾性力によって前記掛け止め部材60は前記右側ストッパ32および前記左側ストッパ52に当接した状態、即ち、略垂直状態を維持している。
【００２７】
次に、この蓋用ロック装置の作動について説明する。
前記蓋体20のフック部25を、前記筒状枠体10の掛け止め部材60の位置に合わせ、その儘、この蓋体20を前記筒状枠体10の嵌挿筒部13に内嵌め嵌挿する。すると、蓋体20のフック部25が前記掛け止め部材60の傾斜先端面64に当接するため、カム作用によって、掛け止め部材60は、コイル圧縮スプリング65に抗して前記湾曲空間Ｓ側に一時的に押し込められ、フック部25が前記係止突条62を通過後、コイル圧縮スプリング65の付勢によって、原状態に戻り、フック部25の抜け止めを確保することができる。
【００２８】
このフック部25を前記係止突条62から解除する場合には、前記蓋体20を周方向に回転し（図２におけるａ方向）、フック部25の先端縁を前記左側ストッパ52の傾斜面53に当接後もａ方向へスライドさせる。すると、フック部25が掛け止め部材60の前記係止突条62から外れるとともにこのフック部25と傾斜面53とのカム作用によって、このフック部25ひいては前記蓋体20は上方（ｂ方向）へ押し上げられ、取り外すことができる。
【産業上の利用可能性】
【００２９】
雨水のマンホールへの流入防止に利用できる。マンホールの蓋体の閉止作業に利用できる。
【図面の簡単な説明】
【００３０】
【図１】図１はこの発明に係る地中構造物の蓋用ロック装置のロック状態の断面図である。
【図２】図２は図１におけるII矢視図である。
【図３】図３は図１における蓋体を除いた状態のIII 矢視図である。
【符号の説明】
【００３１】
Ｍ  …  マンホール（地中構造物）
10  …  筒状枠体（枠体）
20  …  蓋体
25  …  フック部
32  …  右側ストッパ（ストッパ）
52  …  左側ストッパ（ストッパ）
53  …  左側ストッパの傾斜面（カム部材）
60  …  掛け止め部材
65  …  コイル圧縮スプリング（付勢手段）
【図１】
2005133302.tif 000003
【図２】
2005133302.tif 000004
【図３】
2005133302.tif 000005